【事件の表示】
　特許第３０６７６１２号「積層型バンドパスフィルタ」の請求項１ないし４に係る特許に対する特許異議の申立てについて、次のとおり決定する。
【結　論】
　訂正を認める。
　特許第３０６７６１２号の請求項１ないし４に係る特許を維持する。
【理　由】
１．手続の経緯
　特許第３０６７６１２号の請求項１〜４に係る発明についての出願は、平成７年１１月２０日に特許出願され、平成１２年５月１９日にその発明について特許権の設定登録がされ、その後、その特許について、異議申立人吉田保より特許異議の申立てがなされ、取消しの理由が通知され、その指定期間内である平成１３年７月１７日に訂正請求がなされたものである。
　
２．訂正の適否についての判断
（１）訂正の内容
　特許権者が求めている訂正の内容は以下のａ、ｂ、ｃ、ｄのとおりである。
ア．訂正事項ａ
　特許請求の範囲の請求項１について
「少なくとも二つの共振器を備えたバンドパスフィルタにおいて、前記共振器のそれぞれが、一端開放及び一端短絡の内部電極を、短絡側が交互の方向になるように三つ以上積み重ねて対向配置し、前記内部電極のいずれかの内部電極に電気結合した引出し電極を有し、前記内部電極と前記引出し電極と絶縁体とを積み重ねて構成した積層体の対向する第１及び第２の側面の全面にそれぞれ、前記各共振器の対向配置された内部電極のうち一方の側に配置された内部電極に接続したグランド用の第１の外部電極と、前記各共振器の対向配置された内部電極のうち他方の側に配置された内部電極に接続したグランド用の第２の外部電極とを設けると共に、前記積層体の対向する第３及び第４の側面にそれぞれ、前記各共振器の引出し電極のそれぞれに接続した入出力用の第３及び第４外部電極を帯状に設け、前記第１及び第２の側面と前記第３及び第４の側面とが相互に隣接し、かつ、前記引出し電極の引き出し方向と前記内部電極の引き出し方向とが直交しており、前記内部電極と前記引出し電極との電気結合が容量性結合であり、前記引出し電極の配設位置が、前記積層体の積み重ね方向において、前記内部電極の間及び外側の少なくともいずれか一方の位置であり、前記各共振器の内部電極が前記積層体内に並置されて前記共振器が電磁結合していること、を特徴とする積層型バンドパスフィルタ。」を
「少なくとも二つの共振器を備えたバンドパスフィルタにおいて、前記共振器のそれぞれが、一端短絡及び他端開放の内部電極を、短絡側が交互の方向になるように三つ以上積み重ねて対向配置し、前記内部電極のいずれかの内部電極に電気結合した引出し電極を有し、前記内部電極と前記引出し電極と絶縁体とを積み重ねて構成した積層体の対向する第１及び第２の側面の全面にそれぞれ、前記各共振器の対向配置された内部電極のうち一方の側に配置された内部電極に接続したグランド用の第１の外部電極と、前記各共振器の対向配置された内部電極のうち他方の側に配置された内部電極に接続したグランド用の第２の外部電極とを設けると共に、前記積層体の対向する第３及び第４の側面にそれぞれ、前記各共振器の引出し電極のそれぞれに接続した入出力用の第３及び第４外部電極を帯状に設け、前記第１及び第２の側面と前記第３及び第４の側面とが相互に隣接し、かつ、前記引出し電極の引き出し方向と前記内部電極の引き出し方向とが直交しており、前記内部電極と前記引出し電極との電気結合が容量性結合であり、前記引出し電極の配設位置が、前記積層体の積み重ね方向において、前記内部電極の間及び外側の少なくともいずれか一方の位置であり、前記各共振器の内部電極が前記積層体内に並置されて前記共振器が電磁結合していることを特徴とする積層型バンドパスフィルタ。」
と訂正する。
イ．訂正事項ｂ
　特許請求の範囲の請求項２について
　「電磁結合している第１及び第２の共振器を備えた２段のバンドパスフィルタにおいて、前記第１及び第２の共振器のそれぞれが、一端開放及び一端短絡の内部電極を、短絡側が交互の方向になるように三つ以上積み重ねて対向配置し、前記内部電極の一つに電気結合した引出し電極を有し、前記内部電極と前記引出し電極と絶縁体とを積み重ねて構成した積層体の対向する第１及び第２の側面にそれぞれ、前記第１及び第２の共振器の対向配置された内部電極のうち一方の側に配置された内部電極に接続したグランド用の第１の外部電極と、前記第１及び第２の共振器の対向配置された内部電極のうち他方の側に配置された内部電極に接続したグランド用の第２の外部電極とを設けると共に、前記積層体の対向する第３及び第４の側面に前記第１及び第２の共振器の引出し電極のそれぞれに接続した入出力用の第３及び第４の外部電極とを設け、前記積層体内に並置された前記第１及び第２の共振器の内部電極が相互に逆方向に前記対向する第１及び第２の側面に引き出されて前記第１及び第２の外部電極に接続し、前記積層体の上下表面部のそれぞれに前記第１及び第２の外部電極に接続したシールド電極を設けたこと、を特徴とする積層型バンドパスフィルタ。」を
「電磁結合している第１及び第２の共振器を備えた２段のバンドパスフィルタにおいて、前記第１及び第２の共振器のそれぞれが、一端短絡及び他端開放の内部電極を、短絡側が交互の方向になるように三つ以上積み重ねて対向配置し、前記内部電極の一つに電気結合した引出し電極を有し、前記内部電極と前記引出し電極と絶縁体とを積み重ねて構成した積層体の対向する第１及び第２の側面にそれぞれ、前記第１及び第２の共振器の対向配置された内部電極のうち一方の側に配置された内部電極に接続したグランド用の第１の外部電極と、前記第１及び第２の共振器の対向配置された内部電極のうち他方の側に配置された内部電極に接続したグランド用の第２の外部電極とを設けると共に、前記積層体の対向する第３及び第４の側面に前記第１及び第２の共振器の引出し電極のそれぞれに接続した入出力用の第３及び第４の外部電極とを設け、前記積層体内に並置された前記第１及び第２の共振器の内部電極が相互に逆方向に前記対向する第１及び第２の側面に引き出されて前記第１及び第２の外部電極に接続し、前記積層体の上下表面部のそれぞれに前記第１及び第２の外部電極に接続したシールド電極を設けたこと、を特徴とする積層型バンドパスフィルタ。」
と訂正する。
ウ．訂正事項ｃ
　特許請求の範囲の請求項３について
「電磁結合している第１、第２及び第３の共振器を備えた３段バンドパスフィルタにおいて、前記第１、第２及び第３の共振器のそれぞれが、一端開放及び一端短絡の内部電極を、短絡側が交互の方向になるように三つ以上積み重ねて対向配置し、両側に位置している前記第１及び第３の共振器のそれぞれが、前記内部電極の一つに電気結合した引出し電極を有し、前記内部電極と前記引出し電極と絶縁体とを積み重ねて構成した積層体の対向する第１及び第２の側面にそれぞれ、前記第１、第２及び第３の共振器の対向配置された内部電極のうち一方の側に配置された内部電極に接続したグランド用の第１の外部電極と、前記第１、第２及び第３の共振器の対向配置された内部電極のうち他方の側に配置された内部電極に接続したグランド用の第２の外部電極とを設けると共に、前記積層体の対向する第３及び第４の側面に前記第１及び第３の共振器の引出し電極のそれぞれに接続した入出力用の第３及び第４の外部電極とを設け、前記積層体内に並置された前記第１、第２及び第３の共振器の内部電極が、中央に位置する第２の共振器の内部電極と両側に位置している前記第１及び第３の共振器の内部電極とが相互に逆方向に前記対向する第１及び第２の側面に引き出されて前記第１及び第２の外部電極に接続し、前記積層体の上下表面部のそれぞれに前記第１及び第２の外部電極に接続したシールド電極を設けたこと、を特徴とする積層型バンドパスフィルタ。」を
「電磁結合している第１、第２及び第３の共振器を備えた３段バンドパスフィルタにおいて、前記第１、第２及び第３の共振器のそれぞれが、一端短絡及び他端開放の内部電極を、短絡側が交互の方向になるように三つ以上積み重ねて対向配置し、両側に位置している前記第１及び第３の共振器のそれぞれが、前記内部電極の一つに電気結合した引出し電極を有し、前記内部電極と前記引出し電極と絶縁体とを積み重ねて構成した積層体の対向する第１及び第２の側面にそれぞれ、前記第１、第２及び第３の共振器の対向配置された内部電極のうち一方の側に配置された内部電極に接続したグランド用の第１の外部電極と、前記第１、第２及び第３の共振器の対向配置された内部電極のうち他方の側に配置された内部電極に接続したグランド用の第２の外部電極とを設けると共に、前記積層体の対向する第３及び第４の側面に前記第１及び第３の共振器の引出し電極のそれぞれに接続した入出力用の第３及び第４の外部電極とを設け、前記積層体内に並置された前記第１、第２及び第３の共振器の内部電極が、中央に位置する第２の共振器の内部電極と両側に位置している前記第１及び第３の共振器の内部電極とが相互に逆方向に前記対向する第１及び第２の側面に引き出されて前記第１及び第２の外部電極に接続し、前記積層体の上下表面部のそれぞれに前記第１及び第２の外部電極に接続したシールド電極を設けたこと、を特徴とする積層型バンドパスフィルタ。」と訂正する。
エ．訂正事項ｄ
　特許請求の範囲の請求項４について
「電磁結合している第１、第２及び第３の共振器を備えた３段バンドパスフィルタにおいて、前記第１、第２及び第３の共振器のそれぞれが、一端開放及び一端短絡の内部電極を、短絡側が交互の方向になるように三つ以上積み重ねて対向配置し、両側に位置している前記第１及び第３の共振器のそれぞれが、前記内部電極の一つに電気結合した引出し電極を有し、前記内部電極と前記引出し電極と絶縁体とを積み重ねて構成した積層体の対向する第１及び第２の側面にそれぞれ、前記第１、第２及び第３の共振器の対向配置された内部電極のうち一方の側に配置された内部電極に接続したグランド用の第１の外部電極と、前記第１、第２及び第３の共振器の対向配置された内部電極のうち他方の側に配置された内部電極に接続したグランド用の第２の外部電極とを設けると共に、前記積層体の対向する第３及び第４の側面に前記第１及び第３の共振器の引出し電極のそれぞれに接続した入出力用の第３及び第４の外部電極とを設け、前記積層体内に並置された前記第１、第２及び第３の共振器の内部電極が、両側に位置している前記第１及び第３の共振器のいずれか一方の共振器の内部電極と残りの二つの共振器の内部電極とが相互に逆方向に前記対向する第１及び第２の側面に引き出されて前記第１及び第２の外部電極に接続し、前記積層体の上下表面部のそれぞれに前記第１及び第２の外部電極に接続したシールド電極を設けたこと、を特徴とする積層型バンドパスフィルタ。」を
「電磁結合している第１、第２及び第３の共振器を備えた３段バンドパスフィルタにおいて、前記第１、第２及び第３の共振器のそれぞれが、一端短絡及び他端開放の内部電極を、短絡側が交互の方向になるように三つ以上積み重ねて対向配置し、両側に位置している前記第１及び第３の共振器のそれぞれが、前記内部電極の一つに電気結合した引出し電極を有し、前記内部電極と前記引出し電極と絶縁体とを積み重ねて構成した積層体の対向する第１及び第２の側面にそれぞれ、前記第１、第２及び第３の共振器の対向配置された内部電極のうち一方の側に配置された内部電極に接続したグランド用の第１の外部電極と、前記第１、第２及び第３の共振器の対向配置された内部電極のうち他方の側に配置された内部電極に接続したグランド用の第２の外部電極とを設けると共に、前記積層体の対向する第３及び第４の側面に前記第１及び第３の共振器の引出し電極のそれぞれに接続した入出力用の第３及び第４の外部電極とを設け、前記積層体内に並置された前記第１、第２及び第３の共振器の内部電極が、両側に位置している前記第１及び第３の共振器のいずれか一方の共振器の内部電極と残りの二つの共振器の内部電極とが相互に逆方向に前記対向する第１及び第２の側面に引き出されて前記第１及び第２の外部電極に接続し、前記積層体の上下表面部のそれぞれに前記第１及び第２の外部電極に接続したシールド電極を設けたこと、を特徴とする積層型バンドパスフィルタ。」と訂正する。
　
（２）訂正の目的の適否、新規事項の有無、及び特許請求の範囲の拡張・変更の存否
　訂正事項ａ〜ｄに関して
　前記訂正事項ａ〜ｄはいずれもその内部電極の両端部の構成に関するもので、「一端開放及び一端短絡」なる記載を「一端短絡及び他端開放」とするものである。
　これに対し、願書に添付した明細書の段落【００１３】に「内部電極４は矩形状であり、その一端部４ａはシート２の手前側の辺に露出し、他端部４ｂは開放端とされている。内部電極４１と４２は等しい寸法で設計され、平行に並設されている。内部電極４１はシート２の左寄りの位置に配設され、内部電極４２は右寄りの位置に配設されている。内部電極４と対の関係にある内部電極５は矩形状であり、内部電極４に対向している。この内部電極５はその一端部５ａがシート２の奥側の辺に露出し、他端部５ｂが開放端とされている。」と記載されており、【図１】にもその内部電極両端の構成（４ａ、４ｂ）が明記されている。
　これらの記載によると、内部電極の両端部がそれぞれ開放及び短絡されていることは明らかであり、前記訂正事項ａ〜ｄは内部電極の両端部をそれぞれ明確に区別して示唆するために「一端及び他端」と表現したものである。
　したがって、前記訂正事項ａ〜ｄは特許請求の範囲の減縮ないし明りょうでない記載の釈明を目的とするものであり、願書に添付した明細書または図面に記載した事項の範囲内で訂正したものであるから、新規事項の追加に該当せず、特許請求の範囲を実質的に拡張及び変更するものでもない。
　
（３）むすび　
　以上のとおりであるから、前記訂正事項ａ〜ｄは、何れも特許法第百二十条の四第二項及び同条第三項において準用する特許法第百二十六条第二項から第三項までの規定に適合するので、当該訂正を認める。
　
３．特許異議の申立てについて
（１）申立ての理由の概要
　異議申立人吉田保は、請求項１〜４に係る発明の特許に対して、証拠として刊行物１：特開平６−２５２６１７号公報、刊行物２：特開昭６０−３３７０３号公報、刊行物３：特開平５−３２７３１１号公報、刊行物４：特開平６−２１６６１７号公報、刊行物５：特公平３−５６００３号公報、刊行物６：特開平５−２５１９０５号公報を提出し、請求項１〜４に係る発明の特許は特許法第２９条第２項の規定に違反してなされたものであり特許を取り消すべき旨主張している。
　
　（２）本件発明
　特許第３０６７６１２号の請求項１〜４に係る発明（以下、「本件訂正後の発明１」〜「本件訂正後の発明４」という）は、それぞれ前記訂正に係る訂正明細書の特許請求の範囲の請求項１〜請求項４に記載された事項により特定される次のとおりのものである。
　
　請求項１：「少なくとも二つの共振器を備えたバンドパスフィルタにおいて、前記共振器のそれぞれが、一端短絡及び他端開放の内部電極を、短絡側が交互の方向になるように三つ以上積み重ねて対向配置し、前記内部電極のいずれかの内部電極に電気結合した引出し電極を有し、前記内部電極と前記引出し電極と絶縁体とを積み重ねて構成した積層体の対向する第１及び第２の側面の全面にそれぞれ、前記各共振器の対向配置された内部電極のうち一方の側に配置された内部電極に接続したグランド用の第１の外部電極と、前記各共振器の対向配置された内部電極のうち他方の側に配置された内部電極に接続したグランド用の第２の外部電極とを設けると共に、前記積層体の対向する第３及び第４の側面にそれぞれ、前記各共振器の引出し電極のそれぞれに接続した入出力用の第３及び第４外部電極を帯状に設け、前記第１及び第２の側面と前記第３及び第４の側面とが相互に隣接し、かつ、前記引出し電極の引き出し方向と前記内部電極の引き出し方向とが直交しており、前記内部電極と前記引出し電極との電気結合が容量性結合であり、前記引出し電極の配設位置が、前記積層体の積み重ね方向において、前記内部電極の間及び外側の少なくともいずれか一方の位置であり、前記各共振器の内部電極が前記積層体内に並置されて前記共振器が電磁結合していることを特徴とする積層型バンドパスフィルタ。」
　
　請求項２：「電磁結合している第１及び第２の共振器を備えた２段のバンドパスフィルタにおいて、前記第１及び第２の共振器のそれぞれが、一端短絡及び他端開放の内部電極を、短絡側が交互の方向になるように三つ以上積み重ねて対向配置し、前記内部電極の一つに電気結合した引出し電極を有し、前記内部電極と前記引出し電極と絶縁体とを積み重ねて構成した積層体の対向する第１及び第２の側面にそれぞれ、前記第１及び第２の共振器の対向配置された内部電極のうち一方の側に配置された内部電極に接続したグランド用の第１の外部電極と、前記第１及び第２の共振器の対向配置された内部電極のうち他方の側に配置された内部電極に接続したグランド用の第２の外部電極とを設けると共に、前記積層体の対向する第３及び第４の側面に前記第１及び第２の共振器の引出し電極のそれぞれに接続した入出力用の第３及び第４の外部電極とを設け、前記積層体内に並置された前記第１及び第２の共振器の内部電極が相互に逆方向に前記対向する第１及び第２の側面に引き出されて前記第１及び第２の外部電極に接続し、前記積層体の上下表面部のそれぞれに前記第１及び第２の外部電極に接続したシールド電極を設けたこと、を特徴とする積層型バンドパスフィルタ。」
　
　請求項３：「電磁結合している第１、第２及び第３の共振器を備えた３段バンドパスフィルタにおいて、前記第１、第２及び第３の共振器のそれぞれが、一端短絡及び他端開放の内部電極を、短絡側が交互の方向になるように三つ以上積み重ねて対向配置し、両側に位置している前記第１及び第３の共振器のそれぞれが、前記内部電極の一つに電気結合した引出し電極を有し、前記内部電極と前記引出し電極と絶縁体とを積み重ねて構成した積層体の対向する第１及び第２の側面にそれぞれ、前記第１、第２及び第３の共振器の対向配置された内部電極のうち一方の側に配置された内部電極に接続したグランド用の第１の外部電極と、前記第１、第２及び第３の共振器の対向配置された内部電極のうち他方の側に配置された内部電極に接続したグランド用の第２の外部電極とを設けると共に、前記積層体の対向する第３及び第４の側面に前記第１及び第３の共振器の引出し電極のそれぞれに接続した入出力用の第３及び第４の外部電極とを設け、前記積層体内に並置された前記第１、第２及び第３の共振器の内部電極が、中央に位置する第２の共振器の内部電極と両側に位置している前記第１及び第３の共振器の内部電極とが相互に逆方向に前記対向する第１及び第２の側面に引き出されて前記第１及び第２の外部電極に接続し、前記積層体の上下表面部のそれぞれに前記第１及び第２の外部電極に接続したシールド電極を設けたこと、を特徴とする積層型バンドパスフィルタ。」
　
　請求項４：「電磁結合している第１、第２及び第３の共振器を備えた３段バンドパスフィルタにおいて、前記第１、第２及び第３の共振器のそれぞれが、一端短絡及び他端開放の内部電極を、短絡側が交互の方向になるように三つ以上積み重ねて対向配置し、両側に位置している前記第１及び第３の共振器のそれぞれが、前記内部電極の一つに電気結合した引出し電極を有し、前記内部電極と前記引出し電極と絶縁体とを積み重ねて構成した積層体の対向する第１及び第２の側面にそれぞれ、前記第１、第２及び第３の共振器の対向配置された内部電極のうち一方の側に配置された内部電極に接続したグランド用の第１の外部電極と、前記第１、第２及び第３の共振器の対向配置された内部電極のうち他方の側に配置された内部電極に接続したグランド用の第２の外部電極とを設けると共に、前記積層体の対向する第３及び第４の側面に前記第１及び第３の共振器の引出し電極のそれぞれに接続した入出力用の第３及び第４の外部電極とを設け、前記積層体内に並置された前記第１、第２及び第３の共振器の内部電極が、両側に位置している前記第１及び第３の共振器のいずれか一方の共振器の内部電極と残りの二つの共振器の内部電極とが相互に逆方向に前記対向する第１及び第２の側面に引き出されて前記第１及び第２の外部電極に接続し、前記積層体の上下表面部のそれぞれに前記第１及び第２の外部電極に接続したシールド電極を設けたこと、を特徴とする積層型バンドパスフィルタ。」
　
（３）引用刊行物
　引用刊行物１　特開平６−２５２６１７号公報
　引用刊行物２　特開昭６０−３３７０３号公報
　引用刊行物３　特開平５−３２７３１１号公報
　引用刊行物４　特開平６−２１６６１７号公報
　引用刊行物５　特公平３−５６００３号公報
　引用刊行物６　特開平５−２５１９０５号公報
　
（４）引用刊行物に記載された発明
　引用刊行物１（特開平６−２５２６１７号公報）には、「電磁結合した複数の共振部を備えた誘電体フィルタにおいて、一端短絡及び他端開放のストリップ線路と両端短絡のストリップ線路を誘電体基板上にそれぞれ複数併設し、これら各線路を互いに連結して、短絡側が同じ方向になるように積み重ねて対向配置するとともに、いずれかのストリップ線路に電気結合した接続部分を有し、ストリップ線路と接続部分と誘電体基板とを積み重ねて構成した積層誘電体基板の対向する第１及び第２の端面に各ストリップ線路の短絡側に接続したアース端子を設けると共に、積層誘電体基板の対向する第３及び第４の端面にそれぞれ、ストリップ線路に電気結合した接続部分に接続した入力端子及び出力端子を設け、接続部分の引き出し方向とストリップ線路の引き出し方向が直交しており、各ストリップ線路が積層誘電体基板内に並置されて各共振部が電磁結合する構成を備える誘電体フィルター」の発明（以下、「引用刊行物１記載の発明」という）が、
　引用刊行物２（特開昭６０−３３７０３号公報）には、「少なくとも二つの同調部を備えたフィルタにおいて、同調部のそれぞれが、一端短絡及び他端開放の電極を、短絡側が交互の方向になるように積み重ねて対向配置し、対向配置された３個以上の電極のうち、対向する２個の電極間で１つの同調部を形成し、さらにその一方の電極と対向する電極間で１つの同調部を形成することで、複数の同調部が誘電体基板と電極の積層方向に順次形成され、これら積層方向に形成された複数の同調部が互いに結合したフィルタ」の発明（以下、「引用刊行物２記載の発明」という）が、
　引用刊行物３（特開平５−３２７３１１号公報）には、「積層セラミック基板にストリップライン共振器またはマイクロストリップライン共振器が複数並べられた分布定数型フィルタにおいて、少なくとも２つの上記共振器に誘電体が積層され、上記共振器の開放端部分と結合用導体とが上記誘電体を介して対向し、上記共振器と上記結合用導体とが、上記誘電体を介して対向することによって形成される容量を介して電気的に結合し、上記少なくとも２つの共振器が互いに電気的に結合することを特徴とする分布定数型フィルタ」の発明（以下、「引用刊行物３記載の発明」という）が、
　引用刊行物４（特開平６−２１６６１７号公報）には、「誘電体フィルタにおいて入出力用電極が共振用電極に容量性結合した構成」の発明（以下、「引用刊行物４記載の発明」という）が、
　引用刊行物５（特公平３−５６００３号公報）には、「誘電体上に複数の共通電極膜と入力及び出力用電極膜を形成し、複数の共振電極膜が互に逆方向に対向する第１及び第２の側面に引き出されて、該側面に夫々形成された外部電極に接続する構成、及び積層体の上下表面部のそれぞれに前記外部電極に接続したシールド電極が設けられている構成を有するフィルタの製造方法」の発明（以下、「引用刊行物５記載の発明」という）が、
　引用刊行物６（特開平５−２５１９０５号公報）には、「隣接する二つの共振器を形成する共振電極が同一側面に引き出され、さらにそれに隣接する二つの共振器を形成する共振電極が逆側面に引き出されて夫々アース電極と接続するようにした構成、及び積層体の上下表面部のそれぞれに前記アース電極に接続したシールド電極が設けられている構成を有するフィルタ」の発明（以下、「引用刊行物６記載の発明」という）が、
それぞれ記載されている。
　
（５）対比・判断
ア．本件訂正後の発明１と引用刊行物１記載の発明に関して
　引用刊行物１記載の発明における「共振部」「ストリップ線路」「接続部分」「誘電体基板」「端面」「アース端子」「入力端子及び出力端子」は、それぞれ本件訂正後の発明１の「共振器」「内部電極」「引出し電極」「絶縁体」「側面」「第１外部電極及び第２外部電極」「第３及び第４外部電極」に相当するものと認められる。
　したがって、本件訂正後の発明１と引用刊行物１記載の発明とを比較すると、両者は、「少なくとも二つの共振器を備えたフィルタにおいて、前記共振器のそれぞれが、一端短絡及び他端開放の内部電極を備え、前記内部電極のいずれかの内部電極に電気結合した引出し電極を有し、前記内部電極と前記引出し電極と絶縁体とを積み重ねて構成した積層体の対向する第１及び第２の側面にそれぞれ、前記各共振器の対向配置された内部電極のうち一方の側に配置された内部電極に接続したグランド用の第１の外部電極と、前記各共振器の対向配置された内部電極のうち他方の側に配置された内部電極に接続したグランド用の第２の外部電極とを設けると共に、前記積層体の対向する第３及び第４の側面にそれぞれ、前記各共振器の引出し電極のそれぞれに接続した入出力用の第３及び第４外部電極を設け、前記第１及び第２の側面と前記第３及び第４の側面とが相互に隣接し、かつ、前記引出し電極の引き出し方向と前記内部電極の引き出し方向とが直交しており、前記引出し電極の配設位置が、前記積層体の積み重ね方向において、前記内部電極の間及び外側の少なくともいずれか一方の位置であり、前記各共振器の内部電極が前記積層体内に並置されて前記共振器が電磁結合していることを特徴とする積層型フィルタ。」である点において一致するが、
　引用刊行物１記載の発明には、本件訂正後の発明１が具備する「前記共振器のそれぞれが、一端短絡及び他端開放の内部電極を、短絡側が交互の方向になるように三つ以上積み重ねて対向配置し、前記内部電極と前記引出し電極との電気結合が容量性結合」である構成は記載されておらず、当該構成を示唆する記載もない点で相違する。
　そして、当該構成を有することにより、本件訂正後の発明１は、共振器のそれぞれが、一端短絡及び他端開放の内部電極を、短絡側が交互の方向になるように三つ以上積み重ねて対向配置しているので、内部電極間に発生するキャパシタンスと内部電極自身が有するインダクタンス等が組み合わされて一つの分布定数共振器を形成し、この分布定数共振器は、内部電極の数を増すと、バンドパスフィルタの中心周波数を低くでき、抵抗成分が小さく、低損失とすることが可能となり、内部電極の数を調整することによってＭＨｚ帯からＧＨｚ帯までのバンドパスフィルタをサイズを大きくすることなく任意に設計することができ、また、内部電極と引出し電極との電気結合が容量性結合しているので、減衰特性が優れたものになるといった顕著な効果を奏するものである。
　この相違点に対して引用刊行物２記載の発明には、「少なくとも二つの同調部を備えたフィルタにおいて、同調部のそれぞれが、一端短絡及び他端開放の電極を、短絡側が交互の方向になるように積み重ねて対向配置し、対向配置された３個以上の電極のうち、対向する２個の電極間で１つの同調部を形成し、さらにその一方の電極と対向する電極間で１つの同調部を形成することで、複数の同調部が誘電体基板と電極の積層方向に順次形成され、これら積層方向に形成された複数の同調部が互いに結合したフィルタ」が記載されているが、これは、対向配置された３個以上の電極のうち、対向する２個の電極間で１つの同調部を形成し、さらにその一方の電極と対向する電極間で１つの同調部を形成することで、複数の同調部が誘電体基板と電極の積層方向に順次形成され、これら積層方向に形成された複数の同調部が互いに結合して多段フィルタを構成するものである。
　これに対して、引用刊行物１記載の発明は、積層方向に一つの共振器を形成し、積層体内で並置された他の共振器とで多段フィルタを構成しているものであるから、その基本的構成の異なる引用刊行物２記載のフィルタの電極配置のみを引用刊行物１記載の発明の共振器のストリップ線路の配置に適用することが容易であるとは認められない。また、引用刊行物２記載の電極配置を引用刊行物１記載の発明の共振器のストリップ線路の配置に適用することにより、前記本件訂正後の発明１が具備する効果を奏するとも認められない。　同様に引用刊行物３〜６記載の発明にも、本件訂正後の発明１が具備する「前記共振器のそれぞれが、一端短絡及び他端開放の内部電極を、短絡側が交互の方向になるように三つ以上積み重ねて対向配置し、前記内部電極と前記引出し電極との電気結合が容量性結合」である構成は記載されておらず、当該構成を示唆する記載もない。
　
イ．本件訂正後の発明２〜４に関して
　本件訂正後の発明２〜４は、本件訂正後の発明１が具備する「共振器のそれぞれが、一端短絡及び他端開放の内部電極を、短絡側が交互の方向になるように三つ以上積み重ねて対向配置」した構成を含み、さらに他の構成要件を付加したものに相当するから、前記アで説示した同様の理由により引用刊行物１〜６記載の発明に基づいて当業者が容易に発明することができたとは認められない。
　
ウ．したがって、本件訂正後の発明１〜４が前記引用刊行物１〜６記載の発明に基づいて当業者が容易に発明をすることができたものとすることはできず、特許法第２９条第２項の規定より特許を受けることはできないとすることはできない。
　
（６）むすび
　以上のとおりであるから、特許異議の申立ての理由によっては本件発明についての特許を取り消すことはできない。
　また、他に本件発明についての特許を取り消すべき理由を発見しない。
　よって、結論の通り決定する。
【異議決定日】
平成１３年９月２７日（２００１．９．２７）
【訂正の要旨】
訂正の要旨
　特許権者が求めている訂正の内容は以下のａ、ｂ、ｃ、ｄのとおりである。
ア．訂正事項ａ
　特許請求の範囲の請求項１について
「少なくとも二つの共振器を備えたバンドパスフィルタにおいて、前記共振器のそれぞれが、一端開放及び一端短絡の内部電極を、短絡側が交互の方向になるように三つ以上積み重ねて対向配置し、前記内部電極のいずれかの内部電極に電気結合した引出し電極を有し、前記内部電極と前記引出し電極と絶縁体とを積み重ねて構成した積層体の対向する第１及び第２の側面の全面にそれぞれ、前記各共振器の対向配置された内部電極のうち一方の側に配置された内部電極に接続したグランド用の第１の外部電極と、前記各共振器の対向配置された内部電極のうち他方の側に配置された内部電極に接続したグランド用の第２の外部電極とを設けると共に、前記積層体の対向する第３及び第４の側面にそれぞれ、前記各共振器の引出し電極のそれぞれに接続した入出力用の第３及び第４外部電極を帯状に設け、前記第１及び第２の側面と前記第３及び第４の側面とが相互に隣接し、かつ、前記引出し電極の引き出し方向と前記内部電極の引き出し方向とが直交しており、前記内部電極と前記引出し電極との電気結合が容量性結合であり、前記引出し電極の配設位置が、前記積層体の積み重ね方向において、前記内部電極の間及び外側の少なくともいずれか一方の位置であり、前記各共振器の内部電極が前記積層体内に並置されて前記共振器が電磁結合していること、を特徴とする積層型バンドパスフィルタ。」を
「少なくとも二つの共振器を備えたバンドパスフィルタにおいて、前記共振器のそれぞれが、一端短絡及び他端開放の内部電極を、短絡側が交互の方向になるように三つ以上積み重ねて対向配置し、前記内部電極のいずれかの内部電極に電気結合した引出し電極を有し、前記内部電極と前記引出し電極と絶縁体とを積み重ねて構成した積層体の対向する第１及び第２の側面の全面にそれぞれ、前記各共振器の対向配置された内部電極のうち一方の側に配置された内部電極に接続したグランド用の第１の外部電極と、前記各共振器の対向配置された内部電極のうち他方の側に配置された内部電極に接続したグランド用の第２の外部電極とを設けると共に、前記積層体の対向する第３及び第４の側面にそれぞれ、前記各共振器の引出し電極のそれぞれに接続した入出力用の第３及び第４外部電極を帯状に設け、前記第１及び第２の側面と前記第３及び第４の側面とが相互に隣接し、かつ、前記引出し電極の引き出し方向と前記内部電極の引き出し方向とが直交しており、前記内部電極と前記引出し電極との電気結合が容量性結合であり、前記引出し電極の配設位置が、前記積層体の積み重ね方向において、前記内部電極の間及び外側の少なくともいずれか一方の位置であり、前記各共振器の内部電極が前記積層体内に並置されて前記共振器が電磁結合していることを特徴とする積層型バンドパスフィルタ。」
と訂正する。
イ．訂正事項ｂ
　特許請求の範囲の請求項２について
　「電磁結合している第１及び第２の共振器を備えた２段のバンドパスフィルタにおいて、前記第１及び第２の共振器のそれぞれが、一端開放及び一端短絡の内部電極を、短絡側が交互の方向になるように三つ以上積み重ねて対向配置し、前記内部電極の一つに電気結合した引出し電極を有し、前記内部電極と前記引出し電極と絶縁体とを積み重ねて構成した積層体の対向する第１及び第２の側面にそれぞれ、前記第１及び第２の共振器の対向配置された内部電極のうち一方の側に配置された内部電極に接続したグランド用の第１の外部電極と、前記第１及び第２の共振器の対向配置された内部電極のうち他方の側に配置された内部電極に接続したグランド用の第２の外部電極とを設けると共に、前記積層体の対向する第３及び第４の側面に前記第１及び第２の共振器の引出し電極のそれぞれに接続した入出力用の第３及び第４の外部電極とを設け、前記積層体内に並置された前記第１及び第２の共振器の内部電極が相互に逆方向に前記対向する第１及び第２の側面に引き出されて前記第１及び第２の外部電極に接続し、前記積層体の上下表面部のそれぞれに前記第１及び第２の外部電極に接続したシールド電極を設けたこと、を特徴とする積層型バンドパスフィルタ。」を
「電磁結合している第１及び第２の共振器を備えた２段のバンドパスフィルタにおいて、前記第１及び第２の共振器のそれぞれが、一端短絡及び他端開放の内部電極を、短絡側が交互の方向になるように三つ以上積み重ねて対向配置し、前記内部電極の一つに電気結合した引出し電極を有し、前記内部電極と前記引出し電極と絶縁体とを積み重ねて構成した積層体の対向する第１及び第２の側面にそれぞれ、前記第１及び第２の共振器の対向配置された内部電極のうち一方の側に配置された内部電極に接続したグランド用の第１の外部電極と、前記第１及び第２の共振器の対向配置された内部電極のうち他方の側に配置された内部電極に接続したグランド用の第２の外部電極とを設けると共に、前記積層体の対向する第３及び第４の側面に前記第１及び第２の共振器の引出し電極のそれぞれに接続した入出力用の第３及び第４の外部電極とを設け、前記積層体内に並置された前記第１及び第２の共振器の内部電極が相互に逆方向に前記対向する第１及び第２の側面に引き出されて前記第１及び第２の外部電極に接続し、前記積層体の上下表面部のそれぞれに前記第１及び第２の外部電極に接続したシールド電極を設けたこと、を特徴とする積層型バンドパスフィルタ。」
と訂正する。
ウ．訂正事項ｃ
　特許請求の範囲の請求項３について
「電磁結合している第１、第２及び第３の共振器を備えた３段バンドパスフィルタにおいて、前記第１、第２及び第３の共振器のそれぞれが、一端開放及び一端短絡の内部電極を、短絡側が交互の方向になるように三つ以上積み重ねて対向配置し、両側に位置している前記第１及び第３の共振器のそれぞれが、前記内部電極の一つに電気結合した引出し電極を有し、前記内部電極と前記引出し電極と絶縁体とを積み重ねて構成した積層体の対向する第１及び第２の側面にそれぞれ、前記第１、第２及び第３の共振器の対向配置された内部電極のうち一方の側に配置された内部電極に接続したグランド用の第１の外部電極と、前記第１、第２及び第３の共振器の対向配置された内部電極のうち他方の側に配置された内部電極に接続したグランド用の第２の外部電極とを設けると共に、前記積層体の対向する第３及び第４の側面に前記第１及び第３の共振器の引出し電極のそれぞれに接続した入出力用の第３及び第４の外部電極とを設け、前記積層体内に並置された前記第１、第２及び第３の共振器の内部電極が、中央に位置する第２の共振器の内部電極と両側に位置している前記第１及び第３の共振器の内部電極とが相互に逆方向に前記対向する第１及び第２の側面に引き出されて前記第１及び第２の外部電極に接続し、前記積層体の上下表面部のそれぞれに前記第１及び第２の外部電極に接続したシールド電極を設けたこと、を特徴とする積層型バンドパスフィルタ。」を
「電磁結合している第１、第２及び第３の共振器を備えた３段バンドパスフィルタにおいて、前記第１、第２及び第３の共振器のそれぞれが、一端短絡及び他端開放の内部電極を、短絡側が交互の方向になるように三つ以上積み重ねて対向配置し、両側に位置している前記第１及び第３の共振器のそれぞれが、前記内部電極の一つに電気結合した引出し電極を有し、前記内部電極と前記引出し電極と絶縁体とを積み重ねて構成した積層体の対向する第１及び第２の側面にそれぞれ、前記第１、第２及び第３の共振器の対向配置された内部電極のうち一方の側に配置された内部電極に接続したグランド用の第１の外部電極と、前記第１、第２及び第３の共振器の対向配置された内部電極のうち他方の側に配置された内部電極に接続したグランド用の第２の外部電極とを設けると共に、前記積層体の対向する第３及び第４の側面に前記第１及び第３の共振器の引出し電極のそれぞれに接続した入出力用の第３及び第４の外部電極とを設け、前記積層体内に並置された前記第１、第２及び第３の共振器の内部電極が、中央に位置する第２の共振器の内部電極と両側に位置している前記第１及び第３の共振器の内部電極とが相互に逆方向に前記対向する第１及び第２の側面に引き出されて前記第１及び第２の外部電極に接続し、前記積層体の上下表面部のそれぞれに前記第１及び第２の外部電極に接続したシールド電極を設けたこと、を特徴とする積層型バンドパスフィルタ。」と訂正する。
エ．訂正事項ｄ
　特許請求の範囲の請求項４について
「電磁結合している第１、第２及び第３の共振器を備えた３段バンドパスフィルタにおいて、前記第１、第２及び第３の共振器のそれぞれが、一端開放及び一端短絡の内部電極を、短絡側が交互の方向になるように三つ以上積み重ねて対向配置し、両側に位置している前記第１及び第３の共振器のそれぞれが、前記内部電極の一つに電気結合した引出し電極を有し、前記内部電極と前記引出し電極と絶縁体とを積み重ねて構成した積層体の対向する第１及び第２の側面にそれぞれ、前記第１、第２及び第３の共振器の対向配置された内部電極のうち一方の側に配置された内部電極に接続したグランド用の第１の外部電極と、前記第１、第２及び第３の共振器の対向配置された内部電極のうち他方の側に配置された内部電極に接続したグランド用の第２の外部電極とを設けると共に、前記積層体の対向する第３及び第４の側面に前記第１及び第３の共振器の引出し電極のそれぞれに接続した入出力用の第３及び第４の外部電極とを設け、前記積層体内に並置された前記第１、第２及び第３の共振器の内部電極が、両側に位置している前記第１及び第３の共振器のいずれか一方の共振器の内部電極と残りの二つの共振器の内部電極とが相互に逆方向に前記対向する第１及び第２の側面に引き出されて前記第１及び第２の外部電極に接続し、前記積層体の上下表面部のそれぞれに前記第１及び第２の外部電極に接続したシールド電極を設けたこと、を特徴とする積層型バンドパスフィルタ。」を
「電磁結合している第１、第２及び第３の共振器を備えた３段バンドパスフィルタにおいて、前記第１、第２及び第３の共振器のそれぞれが、一端短絡及び他端開放の内部電極を、短絡側が交互の方向になるように三つ以上積み重ねて対向配置し、両側に位置している前記第１及び第３の共振器のそれぞれが、前記内部電極の一つに電気結合した引出し電極を有し、前記内部電極と前記引出し電極と絶縁体とを積み重ねて構成した積層体の対向する第１及び第２の側面にそれぞれ、前記第１、第２及び第３の共振器の対向配置された内部電極のうち一方の側に配置された内部電極に接続したグランド用の第１の外部電極と、前記第１、第２及び第３の共振器の対向配置された内部電極のうち他方の側に配置された内部電極に接続したグランド用の第２の外部電極とを設けると共に、前記積層体の対向する第３及び第４の側面に前記第１及び第３の共振器の引出し電極のそれぞれに接続した入出力用の第３及び第４の外部電極とを設け、前記積層体内に並置された前記第１、第２及び第３の共振器の内部電極が、両側に位置している前記第１及び第３の共振器のいずれか一方の共振器の内部電極と残りの二つの共振器の内部電極とが相互に逆方向に前記対向する第１及び第２の側面に引き出されて前記第１及び第２の外部電極に接続し、前記積層体の上下表面部のそれぞれに前記第１及び第２の外部電極に接続したシールド電極を設けたこと、を特徴とする積層型バンドパスフィルタ。」と訂正する。
（５４）【発明の名称】
積層型バンドパスフィルタ
（５７）【特許請求の範囲】
　【請求項１】　少なくとも二つの共振器を備えたバンドパスフィルタにおいて、前記共振器のそれぞれが、一端
短絡
他端開放
前記内部電極と前記引出し電極と絶縁体とを積み重ねて構成した積層体の対向する第１及び第２の側面の全面にそれぞれ、前記各共振器の対向配置された内部電極のうち一方の側に配置された内部電極に接続したグランド用の第１の外部電極と、前記各共振器の対向配置された内部電極のうち他方の側に配置された内部電極に接続したグランド用の第２の外部電極とを設けると共に、前記積層体の対向する第３及び第４の側面にそれぞれ、前記各共振器の引出し電極のそれぞれに接続した入出力用の第３及び第４外部電極を帯状に設け、
前記第１及び第２の側面と前記第３及び第４の側面とが相互に隣接し、かつ、前記引出し電極の引き出し方向と前記内部電極の引き出し方向とが直交しており、前記内部電極と前記引出し電極との電気結合が容量性結合であり、前記引出し電極の配設位置が、前記積層体の積み重ね方向において、前記内部電極の間及び外側の少なくともいずれか一方の位置であり、前記各共振器の内部電極が前記積層体内に並置されて前記共振器が電磁結合していること、
を特徴とする積層型バンドパスフィルタ。
　【請求項２】　電磁結合している第１及び第２の共振器を備えた２段のバンドパスフィルタにおいて、
前記第１及び第２の共振器のそれぞれが、一端
短絡
他端開放
前記内部電極と前記引出し電極と絶縁体とを積み重ねて構成した積層体の対向する第１及び第２の側面にそれぞれ、前記第１及び第２の共振器の対向配置された内部電極のうち一方の側に配置された内部電極に接続したグランド用の第１の外部電極と、前記第１及び第２の共振器の対向配置された内部電極のうち他方の側に配置された内部電極に接続したグランド用の第２の外部電極とを設けると共に、前記積層体の対向する第３及び第４の側面に前記第１及び第２の共振器の引出し電極のそれぞれに接続した入出力用の第３及び第４の外部電極とを設け、
前記積層体内に並置された前記第１及び第２の共振器の内部電極が相互に逆方向に前記対向する第１及び第２の側面に引き出されて前記第１及び第２の外部電極に接続し、
前記積層体の上下表面部のそれぞれに前記第１及び第２の外部電極に接続したシールド電極を設けたこと、
を特徴とする積層型バンドパスフィルタ。
　【請求項３】　電磁結合している第１、第２及び第３の共振器を備えた３段バンドパスフィルタにおいて、
前記第１、第２及び第３の共振器のそれぞれが、一端
短絡
他端開放
前記内部電極と前記引出し電極と絶縁体とを積み重ねて構成した積層体の対向する第１及び第２の側面にそれぞれ、前記第１、第２及び第３の共振器の対向配置された内部電極のうち一方の側に配置された内部電極に接続したグランド用の第１の外部電極と、前記第１、第２及び第３の共振器の対向配置された内部電極のうち他方の側に配置された内部電極に接続したグランド用の第２の外部電極とを設けると共に、前記積層体の対向する第３及び第４の側面に前記第１及び第３の共振器の引出し電極のそれぞれに接続した入出力用の第３及び第４の外部電極とを設け、
前記積層体内に並置された前記第１、第２及び第３の共振器の内部電極が、中央に位置する第２の共振器の内部電極と両側に位置している前記第１及び第３の共振器の内部電極とが相互に逆方向に前記対向する第１及び第２の側面に引き出されて前記第１及び第２の外部電極に接続し、
前記積層体の上下表面部のそれぞれに前記第１及び第２の外部電極に接続したシールド電極を設けたこと、
を特徴とする積層型バンドパスフィルタ。
　【請求項４】　電磁結合している第１、第２及び第３の共振器を備えた３段バンドパスフィルタにおいて、
前記第１、第２及び第３の共振器のそれぞれが、一端
短絡
他端開放
前記内部電極と前記引出し電極と絶縁体とを積み重ねて構成した積層体の対向する第１及び第２の側面にそれぞれ、前記第１、第２及び第３の共振器の対向配置された内部電極のうち一方の側に配置された内部電極に接続したグランド用の第１の外部電極と、前記第１、第２及び第３の共振器の対向配置された内部電極のうち他方の側に配置された内部電極に接続したグランド用の第２の外部電極とを設けると共に、前記積層体の対向する第３及び第４の側面に前記第１及び第３の共振器の引出し電極のそれぞれに接続した入出力用の第３及び第４の外部電極とを設け、
前記積層体内に並置された前記第１、第２及び第３の共振器の内部電極が、両側に位置している前記第１及び第３の共振器のいずれか一方の共振器の内部電極と残りの二つの共振器の内部電極とが相互に逆方向に前記対向する第１及び第２の側面に引き出されて前記第１及び第２の外部電極に接続し、
前記積層体の上下表面部のそれぞれに前記第１及び第２の外部電極に接続したシールド電極を設けたこと、
を特徴とする積層型バンドパスフィルタ。
【発明の詳細な説明】
　【０００１】
　【発明の属する技術分野】本発明は、バンドパスフィルタ、特に携帯電話等に使用される積層型バンドパスフィルタに関する。
　【０００２】
　【従来の技術】従来、この種のバンドパスフィルタとしては、例えば図２２に示すように、裏面全面に導体１０３を設け、かつ表面にλ／４の共振器であるストリップ導体１０４を２個設けた誘電体基板１０２と、表面全面に導体１０３を設けた誘電体基板１０２とを、ストリップ導体１０４を間に挟むようにして接合し、積層構造としたものが知られている。このストリップ導体１０４の長さをＬ、中心波長をλ、誘電体基板１０２の比誘電率をεとすると、以下の（１）式が成立する。
　【０００３】
Ｌ＝（λ／４）×（１／ε）１／２　　　……（１）
また、二つのストリップ導体１０４の間隔Ｄは約λ／４であることが必要である。
　【０００４】
　【発明が解決しようとする課題】しかしながら、従来のバンドパスフィルタにあっては、ストリップ導体１０４が前記（１）式の関係を満足する長さＬを必要とし、かつ、二つのストリップ導体１０４の間隔Ｄは約λ／４を必要とするので、バンドパスフィルタのサイズを小さくすることが困難であった。また、ストリップ導体１０４等の寸法精度も厳しく、製造し難いという問題があった。
　【０００５】そこで、本発明の目的は、小型化が容易で、かつ製造し易い積層型バンドパスフィルタを提供することにある。
　【０００６】
　【課題を解決するための手段】以上の目的を達成するため、本発明に係る積層型バンドパスフィルタは、少なくとも二つの共振器が、対向配置される少なくとも一対の内部電極と、前記内部電極のいずれか一方の電極に電気結合した引出し電極とを有し、前記内部電極及び前記引出し電極と絶縁体と共に構成した積層体の表面に、前記各共振器の内部電極の一方の電極に接続した第１の外部電極と、前記各共振器の内部電極の他方の電極に接続した第２の外部電極と、前記各共振器の引出し電極のそれぞれに接続した第３及び第４外部電極とを設けたことを特徴とする。
　【０００７】また、本発明に係る積層型バンドパスフィルタは、第３及び第４の外部電極を入出力用外部電極として使用し、第１の外部電極又は第２の外部電極の少なくともいずれか一方の外部電極をグランド用外部電極として使用する。また、本発明に係る積層型バンドパスフィルタは、内部電極と引出し電極との電気結合が、容量性結合又は誘導性結合又は直接結合の少なくともいずれか一つの結合である。特に、容量性結合の場合には、引出し電極の配設位置が内部電極の間又は外側のいずれであってもよい。
　【０００８】さらに、本発明に係る積層型バンドパスフィルタは、積層体の上下表面部の少なくとも一方にシールド電極が設けられている。このシールド電極は、第１の外部電極又は第２の外部電極の少なくともいずれか一方の外部電極に接続している場合と、いずれの電極にも接続していない場合がある。そして、シールド電極と内部電極との間隔は３００μｍ以上であることが好ましい。
　【０００９】また、本発明に係る積層型バンドパスフィルタは、前記第１の外部電極と前記第２の外部電極がそれぞれ前記積層体の対向する側面に形成されると共に、前記内部電極がそれぞれ対向する側面に引き出され、前記第１又は第２の外部電極に接続していることを特徴とする。
　【００１０】
　【作用】以上の構成により、内部電極間に発生するキャパシタンスを主要因とし、内部電極自身が有するインダクタンス等が組み合わされて、それぞれ分布定数共振器が形成される。そして、複数個の分布定数共振器が誘導結合及び容量結合にて多段化される。
　【００１１】
　【発明の実施の形態】以下、本発明に係る積層型バンドパスフィルタの実施形態について添付図面を参照して説明する。各実施形態において、同一部品及び同一部分には同じ符号を付した。
　【００１２】［第１実施形態、図１〜図４］図１に示すように、積層型バンドパスフィルタ１は、内部電極４（４１，４２），５（５１，５２）をそれぞれ表面に設けた誘電体シート２と、引出し電極６（６１，６２）を表面に設けた誘電体シート２と、シールド電極３を表面に設けた誘電体シート２と、表面に何も設けない誘電体シート２からなる。誘電体シート２は、セラミック粉末と結合剤を混練したものをシート状にしたものである。各電極３〜６は、Ａｇ，Ｃｕ，Ａｕ，Ａｇ−Ｐｄ等からなり、印刷、スパッタリングあるいは蒸着等の手段により形成される。
　【００１３】内部電極４は矩形状であり、その一端部４ａはシート２の手前側の辺に露出し、他端部４ｂは開放端とされている。内部電極４１と４２は等しい寸法で設計され、平行に並設されている。内部電極４１はシート２の左寄りの位置に配設され、内部電極４２は右寄りの位置に配設されている。内部電極４と対の関係にある内部電極５は矩形状であり、内部電極４に対向している。この内部電極５はその一端部５ａがシート２の奥側の辺に露出し、他端部５ｂが開放端とされている。内部電極５１と５２は等しい寸法で設計され、平行に並設されている。内部電極５１はシート２の左寄りの位置に配設され、内部電極５２は右寄りの位置に配設されている。限定されるものではないが、内部電極４の幅は内部電極５の幅より若干広く設計されている。シート２を積層した際に積層ずれが生じても、内部電極４，５間の対向面積がばらつかないようにして一定の中心周波数のバンドパスフィルタを安定して製造するためである。なお、内部電極４，５の形状は矩形状に限るものではなく、例えば円形状、三角形状、多角形状等任意である。
　【００１４】引出し電極６１は一端部６ａがシート２の左辺に露出し、他端部６ｂは幅を広くして広面積とされている。この他端部６ｂは、内部電極５１と容量性結合をする。同様にして、引出し電極６２は引出し電極６１と等しい寸法で設計されており、一端部６ａがシート２の右辺に露出し、他端部６ｂは、内部電極５２と容量性結合をする。ただし、引出し電極は必ずしも端部６ｂを広面積とする必要はなく、幅が一定の帯状の引出し電極であってもよい。また、引出し電極は必ずしも内部電極５に近接して配置する必要はなく、内部電極４に近接して設けてもよいし、内部電極４と５の間に設けてもよい。
　【００１５】シールド電極３は、シート２の略表面全面に形成されており、一端部３ａはシート２の手前側の辺に露出し、他端部３ｂは奥側の辺に露出している。シート２の外周縁部にシールド電極３を形成しない部分３ｃ，３ｄを設定することにより、層間の接合強度をアップさせている。シールド電極３とシート２は材質が異なるため接合力が弱く、シールド電極３をシート２の表面全面に形成すると剥れ等の不具合が発生し易くなるからである。従って、剥がれ等の心配がない場合には、シールド電極３をシート２の表面全面に形成してもよい。
　【００１６】以上の構成からなる各シート２は積み重ねられた後、一体的に焼結されて積層体とされる。次に、図２に示すように、得られた積層体の手前側及び奥側の側面にそれぞれグランド用外部電極７，８が形成され、左側面及び右側面にそれぞれ入出力用外部電極９，１０が形成される。外部電極７〜１０は、塗布焼付、スパッタリングあるいは蒸着等の手段により形成される。グランド用外部電極７には内部電極４の端部４ａ及びシールド電極３の端部３ａが接続され、グランド用外部電極８には内部電極５の端部５ａ及びシールド電極３の端部３ｂが接続され、入出力用外部電極９には引出し電極６１の端部６ａが接続され、入出力用外部電極１０には引出し電極６２の端部６ａが接続されている。図３に示すように、シールド電極３と内部電極４，５との間隔ｄは３００μｍ以上に設定するのが好ましく、４００μｍ以上、６００μｍ以上、さらには８００μｍ以上に設定することがより好ましい。なぜなら、間隔ｄが小さいと、シールド電極３に渦電流損が発生してバンドパスフィルタ内の磁界が減衰させられ、フィルタの挿入損失が増えるからである。
　【００１７】こうして得られた積層型バンドパスフィルタ１において、内部電極４１，５１間に発生するキャパシタンスと内部電極４１，５１自身が有するインダクタンス等が組み合わされて１個の分布定数共振器を形成する。同様に、内部電極４２，５２間に発生するキャパシタンスと内部電極４２，５２自身が有するインダクタンス等が組み合わされて１個の分布定数共振器を形成する。形成された２個の分布定数共振器は誘導結合及び容量結合にて結合され、いわゆる２段のバンドパスフィルタとなる。つまり、キャパシタンスを主要因とする分布定数型のバンドパスフィルタとし、従来のようなストリップ導体を用いていないので、中心波長λを何ら考慮する必要がなく、バンドパスフィルタ１のサイズを可及的に小さくできる。従って、小型で、かつ低損失のバンドパスフィルタが得られる。さらに、内部電極４，５等の寸法精度が比較的緩く、しかも従来の積層型コンデンサの製造方法を利用することができるので、製造が容易である。
　【００１８】図４は、得られたバンドパスフィルタの減衰特性（実線１５）と反射特性（実線１６）を示すグラフである。図４中、破線１７で示す減衰特性は、後述する第５実施形態で得られたフィルタのものを示す。
　【００１９】［第２実施形態、図５及び図６］図５に示すように、積層型バンドパスフィルタ２１は、引出し電極２２（２２１、２２２）を残して前記第１実施形態のバンドパスフィルタ１と同様の構造をしている。引出し電極２２１は略Ｔ字形状をしており、一端部２２ａが誘電体シート２の左辺に露出し、他端部２２ｂはシート２の奥側の辺に露出している。この他端部２２ｂは、内部電極５１と誘導性結合をする。同様にして、引出し電極２２２は引出し電極２２１と等しい寸法で設計されており、一端部２２ａが誘電体シート２の右辺に露出し、他端部２２ｂはシート２の奥側の辺に露出している。この他端部２２ｂは、内部電極５２と誘導性結合をする。
　【００２０】図６に示すように、引出し電極２２１の端部２２ａは入出力用外部電極９に接続され、端部２２ｂはグランド外部電極８に接続されている。一方、引出し電極２２２の端部２２ａは入出力用電極１０に接続され、端部２２ｂはグランド外部電極８に接続されている。なお、引出し電極は必ずしもＴ字形状とする必要はなく、Ｌ字形状であってもよい。また、引出し電極は必ずしも内部電極５に近接して配置する必要はなく、内部電極４に近接して設けてもよいし、内部電極４と５の間に設けてもよい。以上の構成からなる積層型バンドパスフィルタ２１は前記第１実施形態のバンドパスフィルタ１と同様の作用効果を奏する。
　【００２１】［第３実施形態、図７及び図８］図７及び図８に示すように、積層型バンドパスフィルタ３１は、引出し電極３２（３２１，３２２）を残して前記第１実施形態のバンドパスフィルタ１と同様の構造をしている。引出し電極３２は内部電極５が形成されている誘電体シート２に形成されている。引出し電極３２１は幅が一定の帯状をしており、一端部３２ａが誘電体シート２の左辺に露出し、他端部３２ｂは内部電極５１と略Ｔ字形状をなすように接続している。従って、引出し電極３２１は内部電極５１と直接結合している。そして、端部３２ａは入出力用外部電極９に接続されている。一方、引出し電極３２２は引出し電極３２１と等しい寸法で設計されており、一端部３２ａがシート２の右辺に露出し、他端部３２ｂは内部電極５２と接続している。従って、引出し電極３２２は内部電極５２と直接結合している。そして、端部３２ａは入出力用外部電極１０に接続されている。なお、引出し電極は必ずしも内部電極５に接続する必要はなく、内部電極４に接続してもよい。以上の構成からなる積層型バンドパスフィルタ３１は前記第１実施形態のバンドパスフィルタ１と同様の作用効果を奏する。
　【００２２】［第４実施形態、図９及び図１０］図９に示すように、積層型バンドパスフィルタ４１は内部電極４２，５２を残して前記第１実施形態のバンドパスフィルタ１と同様の構造をしている。内部電極４２は一端部４ａがシート２の奥側の辺に露出している。すなわち、同一シート２面上に形成された内部電極４１がシート２の手前側の辺に引き出されているのに対して、内部電極４２はシート２の奥側の辺に引き出されている。
　【００２３】一方、内部電極５２は一端部５ａがシート２の手前側の辺に露出している。すなわち、同一シート２面上に形成された内部電極５１がシート２の奥側の辺に引き出されているのに対して、内部電極５２はシート２の手前側の辺に引き出されている。従って、各シート２を積層して構成した積層体において、引出し電極６１に容量性結合する内部電極５１（図９において下側に配置している内部電極５１）は積層体の奥側の側面に引き出されて露出しており、一方、引出し電極６２に容量性結合する内部電極５２（図９において下側に配置している内部電極５２）は積層体の手前側の側面に引き出されて露出している。そして、内部電極４２の端部４ａは積層体の奥側の側面に形成されたグランド用外部電極８に接続され、内部電極５２の端部５ａは積層体の手前側の側面に形成されたグランド用外部電極７に接続される。
　【００２４】図１０は、こうして得られたバンドパスフィルタ４１の減衰特性（実線４４）と反射特性（実線４５）を示すグラフである。減衰特性はフィルタ４１の中心周波数より高周波側に（図中Ａで示した位置に）極が生じている。従って、バンドパスフィルタ４１は前記第１実施形態のバンドパスフィルタ１と同様の作用効果を奏すると共に、より減衰特性が優れたものになる。
　【００２５】［第５実施形態、図１１］図１１に示すように、積層型バンドパスフィルタ５１は内部電極４（４１，４２，４３）、５（５１，５２，５３）をそれぞれ誘電体シート２の表面に平行に配置して３個の共振器を構成したものである。内部電極４は一端部４ａがシート２の手前側の辺に露出し、この内部電極４に対向している内部電極５は一端部５ａがシート２の奥側の辺に露出している。内部電極４１，５１はシート２の左寄りの位置に、内部電極４２，５２はシート２の中央の位置に、内部電極４３，５３はシート２の右寄りの位置に配設されている。引出し電極６１，６２は、それぞれ内部電極５１，５３と容量性結合する。
　【００２６】各シート２は積み重ねられた後、一体的に焼結されて積層体とされる。さらに、前記第１実施形態のフィルタ１と同様に、積層体の手前側及び奥側の側面にそれぞれグランド用外部電極７，８が形成され、左側面及び右側面にそれぞれ入出力用外部電極９，１０が形成される（図２参照）。グランド用外部電極７には内部電極４の端部４ａ及びシールド電極３の端部３ａが接続され、グランド用外部電極８には内部電極５の端部５ａ及びシールド電極３の端部３ｂが接続され、入出力用外部電極９には引出し電極６１の端部６ａが接続され、入出力用外部電極１０には引出し電極６２の端部６ａが接続されている。
　【００２７】こうして得られたバンドパスフィルタ５１において、内部電極４１，５１間に発生するキャパシタンスと内部電極４１，５１自身が有するインダクタンス等が組み合わされて１個の分布定数共振器が形成される。同様にして、内部電極４２，５２及び内部電極４３，５３にてそれぞれ１個の分布定数共振器が形成される。形成された３個の共振器は誘導結合及び容量結合にて結合され、いわゆる３段のバンドパスフィルタとなる。このバンドパスフィルタ５１の減衰特性を図４の破線１７で示す。このバンドパスフィルタ５１は従来のストリップ導体を用いないので、製品サイズは小さく、抵抗成分も小さくなる。従って、小型でかつ低損失、しかも、内部電極４，５を並置するだけで容易に３段のバンドパスフィルタを得ることができる。
　【００２８】［第６実施形態、図１２］図１２に示すように、積層型バンドパスフィルタ５６は内部電極４２及び５２を残して前記第５実施形態のバンドパスフィルタ５１と同様の構造をしている。内部電極４２は一端部４ａがシート２の奥側の辺に露出している。すなわち、同一シート２面上に形成された内部電極４１，４３がシート２の手前側の辺に引き出されているのに対して、内部電極４２はシート２の奥側の辺に引き出されている。一方、内部電極５２は一端部５ａがシート２の手前側の辺に露出している。すなわち、同一シート２面上に形成された内部電極５１，５３がシート２の奥側の辺に引き出されているのに対して、内部電極５２はシート２の手前側の辺に引き出されている。
　【００２９】従って、各シート２を積層して構成した積層体において、引出し電極６１，６２に容量性結合する内部電極５１，５３（図１２において下側に配置している内部電極５１，５３）は積層体の奥側の側面に引き出されて露出している。そして、内部電極４２の端部４ａは積層体の奥側の側面に形成されたグランド用外部電極８に接続され、内部電極５２の端部５ａは積層体の手前側の側面に形成されたグランド用外部電極７に接続される。
　【００３０】こうして得られたバンドパスフィルタ５６の減衰特性は、図４の破線１７で示したグラフと同様のものとなり、減衰特性はフィルタ５６の中心周波数より高周波側に極が形成される。従って、バンドパスフィルタ５６は、前記第５実施形態のバンドパスフィルタ５１と同様の作用効果を奏する。
　【００３１】［第７実施形態、図１３及び図１４］図１３に示すように、積層型バンドパスフィルタ６１は内部電極４３及び５３を残して前記第５実施形態のバンドパスフィルタ５１と同様の構造をしている。内部電極４３は一端部４ａがシート２の奥側の辺に露出している。すなわち、同一シート２面上に形成された内部電極４１，４２がシート２の手前側の辺に引き出されているのに対して、内部電極４３はシート２の奥側の辺に引き出されている。一方、内部電極５３は一端部５ａがシート２の手前側の辺に露出している。すなわち、同一シート２面上に形成された内部電極５１，５２がシート２の奥側の辺に引き出されているのに対して、内部電極５３はシート２の手前側の辺に引き出されている。
　【００３２】従って、各シート２を積層して構成した積層体において、引出し電極６１に容量性結合する内部電極５１（図１３において下側に配置している内部電極５１）は積層体の奥側の側面に引き出されて露出しており、一方、引出し電極６２に容量性結合する内部電極５３（図１３において下側に配置している内部電極５３）は積層体の手前側の側面に引き出されて露出している。そして、内部電極４３の端部４ａは積層体の奥側の側面に形成されたグランド用外部電極８に接続され、内部電極５３の端部５ａは積層体の手前側の側面に形成されたグランド用外部電極７に接続される。
　【００３３】図１４は、こうして得られたバンドパスフィルタ６１の減衰特性（実線６４）と反射特性（実線６５）を示すグラフである。減衰特性はフィルタ６１の中心周波数より低周波側に（図中Ｂで示した位置に）極が生じている。
　【００３４】［第８実施形態、図１５及び図１６］図１５に示すように、積層型バンドパスフィルタ６６は内部電極４（４１，４２，４３，４４）、５（５１，５２，５３，５４）をそれぞれ誘電体シート２の表面に平行に配置して４個の共振器を構成したものである。
　【００３５】内部電極４は一端部４ａがシート２の手前側の辺に露出し、この内部電極４に対向している内部電極５は一端部５ａがシート２の奥側の辺に露出している。引出し電極６１，６２は、それぞれ内部電極５１，５４と容量性結合する。各シート２は積み重ねられた後、一体的に焼結されて積層体とされる。さらに、前記第１実施形態のフィルタ１と同様に、積層体の手前側及び奥側の側面にそれぞれグランド用外部電極７，８が形成され、左側面及び右側面にそれぞれ入出力用外部電極９，１０が形成される（図２参照）。グランド用外部電極７には内部電極４の端部４ａ及びシールド電極３の端部３ａが接続され、グランド用外部電極８には内部電極５の端部５ａ及びシールド電極３の端部３ｂが接続され、入出力用外部電極９には引出し電極６１の端部６ａが接続され、入出力用外部電極１０には引出し電極６２の端部６ａが接続されている。
　【００３６】こうして得られたバンドパスフィルタ６６において、内部電極４１，５１間に発生するキャパシタンスと内部電極４１，５１自身が有するインダクタンス等が組み合わされて１個の分布定数共振器が形成される。同様にして、内部電極４２，５２、内部電極４３，５３及び内部電極４４，５４にてそれぞれ１個の分布定数共振器が形成される。形成された４個の共振器は誘導結合及び容量結合にて結合され、いわゆる４段のバンドパスフィルタとなる。図１６は、バンドパスフィルタ６６の減衰特性（実線６９）と反射特性（実線７０）を示すグラフである。減衰特性はフィルタ６６の中心周波数を挟んで高周波側及び低周波側に（図中Ｃ及びＤで示した位置に）極が生じており、優れた減衰特性を有している。
　【００３７】以上の結果、このバンドパスフィルタ６６は従来のストリップ導体を用いないので、製品サイズは小さく、抵抗成分も小さくなる。従って、小型でかつ低損失、しかも、内部電極４，５を並置するだけで容易に４段のバンドパスフィルタを得ることができる。
　【００３８】［第９実施形態、図１７］図１７に示すように、積層型バンドパスフィルタ７１は内部電極４２，４４及び５２，５４を残して前記第８実施形態のバンドパスフィルタ６６と同様の構造をしている。内部電極４２，４４は一端部４ａがシート２の奥側の辺に露出している。すなわち、同一シート２面上に形成された内部電極４１，４３がシート２の手前側の辺に引き出されているのに対して、内部電極４２，４４はシート２の奥側の辺に引き出されている。一方、内部電極５２，５４は一端部５ａがシート２の手前側の辺に露出している。すなわち、同一シート２面上に形成された内部電極５１，５３がシート２の奥側の辺に引き出されているのに対して、内部電極５２，５４はシート２の手前側の辺に引き出されている。
　【００３９】従って、各シート２を積層して構成した積層体において、引出し電極６１に容量性結合する内部電極５１（図１７において下側に配置している内部電極５１）は積層体の奥側の側面に引き出されて露出しており、一方、引出し電極６２に容量性結合する内部電極５４（図１７において下側に配置している内部電極５４）は積層体の手前側の側面に引き出されて露出している。そして、内部電極４２，４４の端部４ａは積層体の奥側の側面に形成されたグランド用外部電極８に接続され、内部電極５２，５４の端部５ａは積層体の手前側の側面に形成されたグランド用外部電極７に接続される。
　【００４０】こうして得られたバンドパスフィルタ７１の減衰特性及び反射特性は、図１６に示したグラフと同様のものである。従って、バンドパスフィルタ７１は前記第８実施形態のバンドパスフィルタ６６と同様の作用効果を奏する。なお、このバンドパスフィルタ７１においては、各シート２上に形成した内部電極を交互に逆の側面に引き出したものであるが、これに限らず、内部電極を２個づつ、例えば４１，４２をシート２の手前側に、４３，４４を奥側に導出させるようにしてもよい。
　【００４１】［第１０実施形態及び第１１実施形態、図１８及び図１９］図１８に示すように、積層型バンドパスフィルタ７６は、前記第１実施形態のバンドパスフィルタ１の上側表面部に配設されたシールド電極３を取り除いたものと同様の構造をしている。また、図１９に示すように積層型バンドパスフィルタ８１は、前記第１実施形態のバンドパスフィルタ１のシールド電極３を全て取り除いたものと同様の構造をしている。これらの共振器７６，８１は前記第１実施形態のバンドパスフィルタ１と同様の作用効果を奏すると共に、シールド電極の数が少ない分だけ製造工数が省略でき、より安価に製造することができる。
　【００４２】なお、バンドパスフィルタ７６，８１の場合、プリント基板等に実装後にシールド用金属ケースをフィルタ７６，８１に被せたり、あるいはプリント基板等に形成した広面積のシールド用グランドパターンにフィルタ７６，８１を半田付け等によって実装することにより、フィルタ７６，８１をシールドしてもよい。なお、第１０、第１１実施形態の趣旨を、第１実施形態以外の他の実施形態に適用できることは言うまでもない。
　【００４３】［第１２実施形態及び第１３実施形態、図２０〜図２１］図２０に示すように、積層型バンドパスフィルタ８６は、シールド電極８７を残して前記第１実施形態のバンドパスフィルタ１と同様の構造をしている。シールド電極８７は、誘電体シート２の略表面全面に形成されており、一端部８７ａはシート２の手前側の辺に露出している。シート２の外周縁部には、シールド電極８７を形成しない部分８７ｂ，８７ｃを設定することにより、シート２間の接合強度をアップさせている。シールド電極８７はグランド外部電極７のみに接続されている。
　【００４４】また、図２１に示すように、積層型バンドパスフィルタ９１はシールド電極９２を残して前記第１実施形態のバンドパスフィルタ１と同様の構造をしている。シールド電極９２は、誘電体シート２の略表面全面に形成されており、シート２の外周縁部にシールド電極９２を形成しない部分９２ａを設定することにより、シート２間の接合強度をアップさせている。シールド電極９２はいずれの電極にも接続されていない。以上の構成からなるバンドパスフィルタ８６，９１は前記第１実施形態のバンドパスフィルタ１と同様の作用効果を奏すると共に、シート２間の接合強度がよりアップしたものが得られる。これら第１２、第１３実施形態の趣旨も、第１実施形態以外の他の実施形態に適用できることは言うまでもない。
　【００４５】［他の実施形態］なお、本発明に係る積層型バンドパスフィルタは前記実施形態に限定するものではなく、その要旨の範囲内で種々に変更することができる。
　【００４６】前記実施形態のように、１個の共振器の内部電極の数は４枚に限るものではなく、２枚以上であればその数は任意である。内部電極の数を増すと、バンドパスフィルタの中心周波数を低くでき、内部電極の数を調整することによってＭＨｚ帯からＧＨｚ帯までのバンドパスフィルタをサイズを大きくすることなく任意に設計することができ、通信機用に限らず、ＴＶ機等にも幅広く利用することができる。内部電極相互の間隔は等しくなくともよく、仕様に合わせて各内部電極相互の間隔を変えてもよい。また、共振器は５個以上備えていてもよい。
　【００４７】また、外部電極は積層体の側面に必ずしも設ける必要はなく、スルーホール等の電気的接続手段を利用して積層体の表裏面に形成してもよいことは言うまでもない。さらに、前記実施形態は、シートを積み重ねた後、一体的に焼結するものであるが、必ずしもこれに限定されない。例えば、以下に説明する製法によって積層型バンドパスフィルタを製作してもよい。印刷等の手段によりペースト状の誘電体材料を塗布、乾燥して誘電体膜を形成した後、その誘電体膜の表面にペースト状の導電体材料を塗布、乾燥して電極膜を形成する。こうして順に重ね塗りすることによって積層構造を有するバンドパスフィルタが得られる。また、シート２も、必ずしも誘電体やセラミックである必要はなく、樹脂フィルムや他の絶縁体を用いてもよく、さらに予め焼結されたセラミックを用いてもよい。
　【００４８】また、内部電極と引出し電極との電気結合は、例えば容量性結合と誘導性結合を組み合わせたもの等、容量性結合、誘導性結合及び直接結合を任意に組み合わせたものであってもよい。
　【００４９】
　【発明の効果】以上の説明で明らかなように、本発明によれば、対向配置される少なくとも一対の内部電極と、この内部電極のいずれか一方の電極に電気結合した引出し電極とを備えたことにより、内部電極間に発生するキャパシタンスを主要因とし、内部電極自身が有するインダクタンス等が組み合わされて分布定数共振器が形成される。さらに、複数個の分布定数共振器は誘導結合及び容量結合にて容易に多段化され、バンドパスフィルタを形成することができる。そして、ストリップ導体を用いないので、バンドパスフィルタのサイズを小さくすることができ、かつ、抵抗成分が小さく、低損失のバンドパスフィルタが得られる。さらに、内部電極等の寸法精度が比較的緩く、しかも従来の積層型コンデンサの製造方法を利用することができ、製造が容易である。また、内部電極の数を調整するだけで、バンドパスフィルタの中心周波数をコントロールできるので、バンドパスフィルタのサイズを大きくすることなく任意の中心周波数のものを得ることができる。
【図面の簡単な説明】
　【図１】本発明に係る積層型バンドパスフィルタの第１実施形態を示す分解斜視図。
　【図２】図１に示した積層型バンドパスフィルタの外観を示す斜視図。
　【図３】図２に示した積層型バンドパスフィルタのＩＩＩ−ＩＩＩ断面図。
　【図４】図２に示したフィルタの減衰特性及び損失特性を示すグラフ。
　【図５】本発明に係る積層型バンドパスフィルタの第２実施形態を示す分解斜視図。
　【図６】図５に示した積層型バンドパスフィルタの断面図。
　【図７】本発明に係る積層型バンドパスフィルタの第３実施形態を示す分解斜視図。
　【図８】図７に示した積層型バンドパスフィルタの断面図。
　【図９】本発明に係る積層型バンドパスフィルタの第４実施形態を示す分解斜視図。
　【図１０】図９に示したフィルタの減衰特性及び損失特性を示すグラフ。
　【図１１】本発明に係る積層型バンドパスフィルタの第５実施形態を示す分解斜視図。
　【図１２】本発明に係る積層型バンドパスフィルタの第６実施形態を示す分解斜視図。
　【図１３】本発明に係る積層型バンドパスフィルタの第７実施形態を示す分解斜視図。
　【図１４】図１３に示したフィルタの減衰特性及び損失特性を示すグラフ。
　【図１５】本発明に係る積層型バンドパスフィルタの第８実施形態を示す分解斜視図。
　【図１６】図１５に示したフィルタの減衰特性及び損失特性を示すグラフ。
　【図１７】本発明に係る積層型バンドパスフィルタの第９実施形態を示す分解斜視図。
　【図１８】本発明に係る積層型バンドパスフィルタの第１０実施形態を示す分解斜視図。
　【図１９】本発明に係る積層型バンドパスフィルタの第１１実施形態を示す分解斜視図。
　【図２０】本発明に係る積層型バンドパスフィルタの第１２実施形態を示す分解斜視図。
　【図２１】本発明に係る積層型バンドパスフィルタの第１３実施形態を示す分解斜視図。
　【図２２】従来の積層型バンドパスフィルタを示す分解斜視図。
　【符号の説明】
１，２１，３１，４１，５１，５６，６１，６６，７１，７６，８１，８６，９１…積層型バンドパスフィルタ
２…誘電体シート
３，８７，９２…シールド電極
４（４１，４２，４３，４４），５（５１，５２，５３，５４）…内部電極
６（６１，６２），２２（２２１，２２２），３２（３２１，３２２）…引出し電極
７…グランド用外部電極（第１の外部電極）
８…グランド用外部電極（第２の外部電極）
９…入出力用外部電極（第３の外部電極）